(57)【要約】【課題】電線の圧接による高負荷に耐えられる圧接端子を備えた照明ユニットを提供することを課題とする。【解決手段】照明ユニット１は、バルブを収容したハウジング２と、該ハウジング２に組み付けられて前記バルブと電線１０とを接続する複数のバスバ５と、を備えた照明ユニット１において、前記バスバ５は、前記ハウジング２内に配されるとともに前記バルブの電極と接続する電極接続部４１と、互いに間隔をあけて設けられ、かつ互いの間に前記電線１０が圧入されて前記電線１０を圧接する圧接刃５７，５８を設けた一対の圧接片５４，５６と、該一対の圧接片５４，５６を連結する連結片５５と、を備えた圧接端子５３を一対備えた電線接続部５１と、を備えて、前記圧接端子５３が、前記圧接刃５７，５８のうち少なくとも一方に連なり、かつ前記圧接刃５８から離れる方向に延びた延在部６０を設けている。【選択図】図２
2010182431.tif 000002
【特許請求の範囲】
【請求項１】
バルブを収容したハウジングと、
該ハウジングに組み付けられて前記バルブと電線とを接続する複数のバスバと、を備えた照明ユニットにおいて、
前記バスバは、
前記ハウジング内に配されるとともに前記バルブの電極と接続する電極接続部と、
互いに間隔をあけて設けられかつ互いの間に前記電線が圧入されて前記電線を圧接する圧接刃を設けた一対の圧接片と、該一対の圧接片を連結する連結片と、を備えた圧接端子を一対備えた電線接続部と、
を備えて、
前記圧接端子が、前記圧接刃のうち少なくとも一方に連なり、かつ前記圧接刃から離れる方向に延びた延在部を設けていることを特徴とする照明ユニット。
【請求項２】
前記圧接端子は、前記連結片が曲げられて、前記一対の圧接片を互いに交差する方向に配していることを特徴とする請求項１に記載の照明ユニット。
【請求項３】
前記一対の圧接端子は、前記電線の長手方向に互いに離れる方向に向かうに従って、前記一対の圧接片が互いに近付く方向に配されていることを特徴とする請求項１または請求項２に記載の照明ユニット。
【発明の詳細な説明】
【技術分野】
【０００１】
本発明は、例えば、車両としての自動車のルーフトリム等に取り付けられて前記自動車の乗員室内を照明する照明ユニットに関する。
【背景技術】
【０００２】
車両としての自動車には、その乗員室の天井に照明用のバルブなどの発光体を備えた室内照明装置が取り付けられている。
【０００３】
上述した室内照明装置としての照明ユニットは、バルブを収容したハウジングと、このハウジングに組み付けられて前記バルブと電線とを接続するバスバと、を備えている。（例えば特許文献１を参照。）。
【０００４】
上記照明ユニットは、図７及び図８に示すように、バルブの正極・負極からなる一対の電極が、バスバ１００の電極接続部１０６に接続されるとともに、前記バルブに電極を供給する電線２００が、電極接続部１０６に連設された電線接続部１０２に接続される。
【０００５】
上記電線接続部１０２は、電極接続部１０６の長手方向の一端部に連なるとともに前記長手方向に沿って延びた帯状の底壁１０３と、この底壁１０３の幅方向の両端部からそれぞれ立設した一対の圧接端子１０４と、を備えている。電線接続部１０２は、銅または銅合金（黄銅、ベリリウム銅などを含む）で構成された導電性金属板に打ち抜き加工や曲げ加工などが施されて得られるものである。一対の圧接端子１０４は、底壁１０３の長手方向の両縁から底壁１０３の一方の表面に向かって立設している。また、圧接端子１０４は、一対の圧接片１０５と、これら圧接片１０５を連結する連結片と、を備えている。このような構成の電線接続部１０２は、一対の圧接片１０５間に電線２００を圧入することにより、一対の圧接片１０５が電線２００の絶縁被覆２０２を突き破るとともに一対の圧接片１０５に芯線２０１が通されて、該芯線２０１と電気的に接続する。
【先行技術文献】
【特許文献】
【０００６】
【特許文献１】特開２００５−３２９８３号公報
【発明の概要】
【発明が解決しようとする課題】
【０００７】
しかしながら、上述した圧接端子１０４を備えた照明ユニット１０１は、以下に示す問題があった。即ち、圧接端子１０４は、底壁１０３の長手方向の両縁から底壁１０３の一方の表面に向かって立設している。このため、電線２００の長手方向に引っ張られるなどして、電線２００の長手方向に外力がかけられた際に、この負荷に耐えられず、圧接端子１０４が底壁１０３の幅方向に倒れたり、圧接端子１０４が底壁１０３の長手方向に開いてしまうという問題があった。
【０００８】
従って、本発明は、上記のような問題点に着目し、電線２００の圧接による高負荷に耐えられる圧接端子１０４を備えた照明ユニット１０１を提供することを課題とする。
【課題を解決するための手段】
【０００９】
上記課題を解決するためになされた請求項１記載の照明ユニットは、バルブを収容したハウジングと、該ハウジングに組み付けられて前記バルブと電線とを接続する複数のバスバと、を備えた照明ユニットにおいて、前記バスバは、前記ハウジング内に配されるとともに前記バルブの電極と接続する電極接続部と、互いに間隔をあけて設けられ、かつ互いの間に前記電線が圧入されて前記電線を圧接する圧接刃を設けた一対の圧接片と、該一対の圧接片を連結する連結片と、を備えた圧接端子を一対備えた電線接続部と、を備えて、
前記圧接端子が、前記圧接刃のうち少なくとも一方に連なり、かつ前記圧接刃から離れる方向に延びた延在部を設けていることを特徴としている。
【００１０】
請求項２記載の照明ユニットは、請求項１記載の照明ユニットにおいて、前記圧接端子は、前記連結片が曲げられて、前記一対の圧接片を互いに交差する方向に配していることを特徴としている。
【００１１】
請求項３記載の照明ユニットは、請求項１記載または請求項２に記載の照明ユニットにおいて、前記一対の圧接端子は、前記電線の長手方向に互いに離れる方向に向かうに従って、前記一対の圧接片が互いに近付く方向に配されていることを特徴としている。
【発明の効果】
【００１２】
以上説明したように、請求項１記載の発明によれば、圧接端子は、圧接片の圧接刃から離れる方向に延びた延在部を設けている。そして、延在部は、ハウジングに設けられた圧接端子通し穴に圧入される。従って、圧接端子に組み付けられた電線が電線の長手方向に引っ張られるなどして、電線の長手方向に外力がかけられた際に、延在部が圧接端子通し穴の内面に当接することによって、圧接端子が倒れることを防止することが可能な照明ユニットを提供することができる。
【００１３】
請求項２記載の発明によれば、圧接端子は、前記連結片が曲げられて、前記一対の圧接片を互いに交差する方向に配している。従って、一対の圧接刃間に圧入されて組み付けられた電線が、電線の長手方向の一対の圧接片が互いに離れる一方向に引っ張られるなどして、電線の長手方向に外力がかけられた際には、互いに交差する方向に配された一対の圧接片が互いに離れる一方向に力をかけるため、圧接端子が倒れることを防止することが可能な照明ユニットを提供することができる。
【００１４】
請求項３記載の発明によれば、一対の圧接端子は、電線の長手方向に互いに離れる方向に向かうに従って、前記一対の圧接片が互いに近付く方向に配されている。従って、一対の圧接刃間に圧入されて組み付けられた電線が、電線の長手方向のどちらの方向に引っ張られても、互いに交差する方向に配された一対の圧接片が互いに離れる方向に力をかけるため、圧接端子が倒れることを防止することができる。即ち、電線の長手方向の双方向に対して圧接端子が倒れることを防止することが可能な照明ユニットを提供することができる。
【図面の簡単な説明】
【００１５】
【図１】本発明の一実施形態に係る照明ユニットの斜視図である。
【図２】図１に示された照明ユニットのバスバを示す斜視図である。
【図３】図２に示されたバスバを構成するバスバ相当板を示す平面図である。
【図４】（ａ）図２に示された電線接続部を拡大して示す斜視図である。（ｂ）（ａ）に示された電線接続部を構成する電線接続部相当板を示す平面図である。
【図５】（ａ）図２に示された電線接続部を拡大して示す上面図である。（ｂ）（ａ）に示された電線接続部を矢印Ｘ方向から見た側面図である。（ｃ）（ａ）に示された電線接続部を矢印Ｙ方向から見た側面図である。
【図６】図１に示された照明ユニットの組立作業を説明するための説明図であり、圧接端子に電線が圧入される様子を示す図である。
【図７】従来の照明ユニットの斜視図である。
【図８】図７に示された照明ユニットの組立作業を説明するための説明図であり、電線接続部に電線が圧入される様子を示す図である。
【発明を実施するための形態】
【００１６】
本発明の一実施形態に係る照明ユニット１を、図１乃至図６を参照して説明する。本発明の一実施形態における照明ユニット１は、車両としての自動車の乗員室内の表面に配置されるルーフトリムやドアトリムなどに取り付けられる室内照明装置を構成する。室内照明装置は、図示しない意匠部と、照明ユニット１と、を備えている。
【００１７】
意匠部は、透明又は半透明の合成樹脂で構成されて、平板状に形成されている。乗員室内に露出した格好で、ルーフトリムや、ドアトリムなどに取り付けられる。
【００１８】
照明ユニット１は、前記乗員室を照射するバルブ（図示しない）と、このバルブを収容するハウジング２と、該ハウジング２に組み付けられる一対のバスバ５と、図示しないスイッチなどを備えている。なお、図１は、バルブがハウジング２に装着されていない状態を示している。
【００１９】
照明ユニット１は、電線１０に取り付けられて電力が供給される導電性のバスバ５を介してバルブに電力が供給されることで、当該バルブが乗員室内に向かって光を照射して、当該乗員室内を照明する。
【００２０】
バルブは、光を照射する発光部と、正極・負極からなる一対の電極（図示しない）と、を有した周知のウェッジバルブである。また、本発明では、ウェッジバルブの代わりにＬＥＤウェッジバルブを用いることもできる。バルブは、図１中の手前に位置するハウジング２の長手方向（図１中に矢印Ｎで示す。）の一端部２ａに設けられた後述するバルブ取付部２８に装着される。
【００２１】
電線１０は、導電性の芯線（図示しない）を絶縁性の被覆部（図示しない）で覆った所謂被覆電線１０である。また、この電線１０は、断面が丸形の丸電線である。また、照明ユニット１は、２つの電線１０が用いられる。一方の電線１０は、前述した自動車の車体に搭載されるバッテリなどの電源の正の電極に接続される。また、他方の電線１０は電源の負の電極に接続される。
【００２２】
ハウジング２は、絶縁性の合成樹脂で構成されており、外形が矩形状に形成されている。ハウジング２は、バルブが組み付けられ、かつ後述する一対のバスバ５を収容する本体部２１と、本体部２１に取り付けられて電線１０を挟持するカバー部２２と、本体部２１とカバー部２２とを互いに連結するヒンジ部２３と、を備えている。
【００２３】
本体部２１は、その幅方向とカバー部２２の長手方向が等しい寸法に形成されている。本体部２１はカバー部２２が取り付けられると、本体部２１の天井壁の露出する天井面２１ａと、カバー部２２の底壁の露出する外表面２２ａとが互いに面一に配される。
【００２４】
本体部２１は、後述するバスバ５の電極接続部４１が配される電極収容部２４と、後述するバスバ５の電線接続部５１が配される電線圧接部２５と、を備えている。
【００２５】
電極収容部２４には、前述したバルブが装着される。電極収容部２４は、前記一端部２ａ寄りに設けられている。電極収容部２４の幅方向の寸法は、本体部２１の幅方向の寸法よりも短く形成されている。電極収容部２４は、その先端部にバルブ取付部２８を設けている。
【００２６】
バルブ取付部２８は、前記一端部２ａ寄りの先端部に設けられている。バルブ取付部２８は、先端部に向って開口した円筒状に形成されている。バルブ取付部２８には、バルブの電極が通される。
【００２７】
電線圧接部２５は、後述するバスバ５の電線接続部５１の圧接端子５３が配される電線保持部２９と、該電線保持部２９を互いの間に挟む一対の電線屈曲部３０と、を備えている。電線圧接部２５は、一方の端部が、前述した電極収容部２４の一端部２ａから離れた端部に連なっている。電線圧接部２５の他方の端部には、後述するヒンジ部２３が連なっている。そして、電線圧接部２５は、本体部２１の略中央部に設けられている。電線圧接部２５は、本体部２１はカバー部２２が取り付けられると、カバー部２２を収容する凹に形成されている。電線圧接部２５は、本体部２１の天井面２１ａから凹に設けられ、かつ、本体部２１の幅方向に沿って直線状に延在している。そして、電線圧接部２５は、電線１０を本体部２１の幅方向に延在させる。
【００２８】
電線保持部２９は、本体部２１の天井面２１ａから凹に設けられている。電線保持部２９は、電線圧接部２５の中央部に設けられている。電線保持部２９は、カバー部２２が本体部２１に取り付けられると、後述するカバー部２２の後述する電線収容部２６と互いに相対する位置に設けられている。電線保持部２９は、本体部２１の天井面２１ａから凹に設けられた底面２９ａには、後述する一対の圧接端子５３を取り付ける２つの圧接端子通し部４５ａ、４５ｂと、２つのバスバ取付穴（図示しない）と、を設けている。
【００２９】
圧接端子通し部４５ａ、４５ｂはそれぞれが圧接端子通し穴４７を一対ずつ設けている。圧接端子通し部４５ａは、電線保持部２９の幅方向の一端部即ちハウジング２の一端部２ａから離れた端部に設けられている。そして、圧接端子通し部４５ａは、電線保持部２９の長手方向の一端部に設けられている。圧接端子通し部４５ｂは、電線保持部２９の幅方向の他端部即ちハウジング２の一端部２ａに近づく端部に設けられている。そして、圧接端子通し部４５ａは、電線保持部２９の長手方向の他端部に設けられている。このように、２つの圧接端子通し部４５ａ、４５ｂは、電線保持部２９の幅方向、即ちハウジング２の長手方向（図１中の矢印Ｎ）に沿って互いにずらされて配されている。
【００３０】
圧接端子通し穴４７は、本体部２１の天井面２１ａから凹に設けられた電線保持部２９の底面２９ａにさらに凹に設けられている。圧接端子通し穴４７は、後述する圧接端子５３の延在部６０を通す。圧接端子通し穴４７は、平面形状が矩形状に形成されている。そして、一対の圧接端子通し穴４７は、一端部２ａ寄りに配された圧接端子通し穴４７の一方の端部同士が互いに近付き、一端部２ａから離れるに従って圧接端子通し穴４７の他方の端部同士の間隔が徐々に大きくなる略ハ字状に配されている。圧接端子通し穴４７は、後述する延在部６０の表面に設けられた凸のロック部６１と係合するロック穴部（図示しない）を設けている。ロック穴部は、圧接端子通し穴４７の一端部２ａに近付く内表面から凹に設けられている。
【００３１】
バスバ取付穴は、本体部２１の天井面２１ａから凹に設けられた電線保持部２９の底面２９ａにさらに凹に設けられている。バスバ取付穴は、後述するハウジング取付部７１を通す。バスバ取付穴は、平面形状が矩形状に形成されている。バスバ取付穴はその両端部が、前述した一対の圧接端子通し穴４７それぞれの他方の端部に近づいて配されている。
【００３２】
一対の電線屈曲部３０は、電線圧接部２５の長手方向の両端部に設けられている。電線屈曲部３０は、本体部２１の天井面２１ａから凹に設けられている。電線屈曲部３０は、前述した電線保持部２９よりも本体部２１の天井面２１ａから離れた位置に設けられている。電線屈曲部３０は、カバー部２２が本体部２１に取り付けられると、後述するカバー部２２の電線押圧部２７と互いに相対する位置に設けられている。電線屈曲部３０は、電線１０が電線圧接部２５に延在された状態で、カバー部２２が本体部２１に取り付けられると、後述する電線押圧部２７が電線１０を押圧して、電線１０が屈曲されて本体部２１に取り付けられる。電線屈曲部３０は、本体部２１にカバー部２２を取り付けるロック受け部３３を一対設けている。
【００３３】
一対のロック受け部３３は、電線圧接部２５の幅方向の縁に連なる一対の内壁面それぞれに設けられている。一対の内壁面は、互いに間隔をあけて、互いに対向して配されている。ロック受け部３３は、前述した内壁面に凹に設けられた穴部３４ａ、３４ｂを２つ設けている。穴部３４ａは、内壁面の天井面２１ａに近づく位置に配される。そして、穴部３４ｂは、内壁面の天井面２１ａから離れる位置に配される。そして、２つの穴部３４ａ、３４ｂは互いに間隔をあけて配されている。
【００３４】
穴部３４ａは、天井面２１ａと内壁面とを凹に切り欠いている。そして、穴部３４ａは、内壁面の天井面２１ａから離れるに従って除々に内壁面に近付く方向に傾斜している。
【００３５】
穴部３４ｂは、内壁面を凹に切り欠いている。
【００３６】
カバー部２２は、本体部２１に取り付けられると電線圧接部２５と互いに相対する位置に設けられている電線収容部２６と、電線収容部２６を互いの間に挟む一対の電線押圧部２７とを備えている。カバー部２２は、後述するヒンジ部２３を介して本体部２１に連なっている。
【００３７】
電線収容部２６は、カバー部２２が本体部２１に取り付けられると、本体部２１の天井面２１ａと互いに面一に配されるカバー部２２の底壁の外表面２２ａと反対側の内表面２２ｂから、凸に形成された複数の隔壁３５ａ、３５ｂ、３５ｃと、電線収容部２６のヒンジ部２３から離れた幅方向の一方の縁から立設する壁部３６とを設けている。電線収容部２６の幅方向の他方の縁には後述するヒンジ部２３が連なっている。また、電線収容部２６の底壁は、カバー部２２の底壁よりも幅方向の寸法が大きく形成されている。
【００３８】
隔壁３５ａ、３５ｂ、３５ｃは、図示例では、３つ設けられている。電線収容部２６の長手方向に沿って凸に設けられている。３つの隔壁３５ａ、３５ｂ、３５ｃは、互いに平行に、互いに直線状に延在している。
【００３９】
３つの隔壁３５ａ、３５ｂ、３５ｃのうち最もヒンジ部２３寄りに配された隔壁３５ａは、カバー部２２が本体部２１に取り付けられると、後述する圧接端子５３の圧接刃５７、５８の先端部が当接する位置に切欠き４９ａを設けている。切欠き４９ａは、一対の圧接端子５３に対応して２つ設けられている。即ち、切欠き４９ａは、後述する圧接端子５３の延在部６０が通される圧接端子通し穴４５ａに対応する位置に設けられている。２つの切欠き４９ａは、隔壁３５ａの幅方向の全長に亘って隔壁３５ａを切り欠いている。２つの切欠き４９ａは、互いに間隔をあけて設けられている。凸に設けられた隔壁３５ａは、カバー部２２が本体部２１に取り付けられると、電線保持部２９の底面２９ａに向って電線１０を押さえる。
【００４０】
３つの隔壁３５ａ、３５ｂ、３５ｃのうち最もヒンジ部２３から離れて配された隔壁３５ｃは、カバー部２２が本体部２１に取り付けられると、後述する圧接端子５３の圧接刃５７、５８の先端部が当接する位置に切欠き４９ｂを設けている。切欠き４９ｂは、一対の圧接端子５３に対応して２つ設けられている。即ち、切欠き４９ｂは、後述する圧接端子５３の延在部６０が通される圧接端子通し穴４５ｂに対応する位置に設けられている。２つの切欠き４９ｂは、隔壁３５ｃの幅方向の全長に亘って隔壁３５ｃを切り欠いている。２つの切欠き４９ｂは、互いに間隔をあけて設けられている。凸に設けられた隔壁３５ｃは、カバー部２２が本体部２１に取り付けられると、電線保持部２９の底面２９ａに向って電線１０を押さえる。
【００４１】
電線押圧部２７は、カバー部２２が本体部２１に取り付けられると、電線屈曲部３０と互いに相対する位置に設けられている。電線押圧部２７は、電線１０が電線圧接部２５に延在された状態で、カバー部２２が本体部２１に取り付けられると、電線１０を電線屈曲部３０に向かって押圧する。
【００４２】
電線押圧部２７は、底壁の内表面２２ｂにおいて、カバー部２２の長手方向の両端部の縁から立設する第１側板部３７と、第１側板部３７と互いに対向する第２側板部３８と、第１側板部３７と第２側板部３８とを互いに連結する連結壁３９と、連結壁３９の両端部に配されて、前述した電線屈曲部３０のロック受け部３３に係止する係止ロック部４０と、を備えている。
【００４３】
第１側板部３７は、カバー部２２の幅方向全長に亘って設けられている。そして、第１側板部３７の電線収容部２６寄りの表面には、後述する連結壁３９が連なっている。
【００４４】
第２側板部３８は、カバー部２２の幅方向全長に亘って設けられている。そして、第２側板部３８は、第１側板部３７よりも電線収容部２６寄りに配されている。そして、第２側板部３８の電線収容部２６から離れた表面には、連結壁３９が連なっている。第２側板部３８の電線収容部２６寄りの表面には、前述した隔壁３５ａ、３５ｂ、３５ｃの長手方向の両端部が連なっている。
【００４５】
連結壁３９は、底壁の内表面２２ｂから立設している。連結壁３９は、第１側板部３７及び第２側板部３８に対して直交する方向に配されている。連結壁３９は、第１側板部３７と第２側板部３８の長手方向の中央部に連なっている。
【００４６】
係止ロック部４０は、一対設けられている。係止ロック部４０は、底壁の内表面２２ｂから立設している。係止ロック部４０は、カバー部２２の幅方向の両端部に設けられている。係止ロック部４０は、カバー部２２の幅方向の縁から立設する板部４５と、板部４５の先端部に設けられた突起４６と、を備えている。
【００４７】
突起４６は、前述した板部４５の先端部に、電線押圧部２７の長手方向即ちカバー部２２の幅方向の外方向に凸に設けられている。
【００４８】
ヒンジ部２３は、撓むことが可能に設けられている。ヒンジ部２３は、本体部２１とカバー部２２と一体に形成されている。ヒンジ部２３は一方の端部が、本体部２１の電線圧接部２５の一端部２ａから離れた端部に連なり、かつ、他方の端が、カバー部２２の本体部２１に近づく端部に連なっている。
【００４９】
また、照明ユニット１は、前述したように一対のバスバ５が用いられる。一方のバスバ５は、一方の電線１０が取り付けられて、前述した自動車の車体に搭載されるバッテリなどの電源の正の電極に接続される。また、他方のバスバ５は、他方の電線１０が取り付けられて電源の負の電極に接続される。
【００５０】
一対のバスバ５は、導電性金属板に打ち抜き加工を施して得られた図３に示すバスバ相当板５’に曲げ加工を施すことにより形成されている。バスバ５は、図２などに示すように、上記バルブの電極と接続する電極接続部４１と、電線１０と接続する電線接続部５１と、を備えている。また、バスバ相当板５’は、電極接続部４１に相当する電極接続部相当部４１’と、電線接続部５１に相当する電線接続部相当部５１’と、ハウジング取付部７１に相当するハウジング取付部相当部７１’と、を備えている。
【００５１】
上記電極接続部４１は、上記バスバ相当板５’の電極接続部相当部４１’が曲げられて形成されている。電極接続部４１は、互いに間隔をあけて相対した一対の帯状の電極挟持片４２と、これら一対の電極挟持片４２の長手方向一端部同士に連なった連結部４３と、を備えている。また、一対の電極挟持片４２は、互いに近づく方向に凸に湾曲されており、これらの間に上記バルブが挿入されるとともに、該電極挟持片４２と正極・負極のうち一方の電極とが電気的に接続される。また、図３に示す４２’は、電極挟持片４２に相当する電極挟持片相当部であり、４３’は、連結部４３に相当する連結部相当部である。
【００５２】
そして、連結部相当部４３’と後述する底板相当部５２’との連結箇所（図３中にＲ１で示す。）が直角に曲げられることにより、一対の電極挟持片４２と、これら一対の電極挟持片４２とを連結する連結部４３と、を備えた電極接続部４１となる。
【００５３】
上記電線接続部５１は、上記バスバ相当板５’の電線接続部相当部５１’が曲げられて形成されている。この電線接続部相当部５１’は、上記電極接続部相当部４１’の連結部相当部４３’に連なり、即ち電極接続部相当部４１’の長手方向（図３中に矢印Ｎで示す。）の一端部に連なる底板相当部５２’と、底板相当部５２’の幅方向の縁からそれぞれが該底板相当部５２’の長手方向と交差する方向に延びた一対の圧接端子相当部５３’と、を備えている。
【００５４】
なお、一対のバスバ相当部５’のうち、一方のバスバ相当部５’の底板相当部５２’は、他方のバスバ相当部５’の底板相当部５２’よりも、その長手方向の寸法が長く形成されている。こうして、バスバ５は、ハウジング２に組み付けられると、ハウジング２の長手方向に互いにずらされて配される。そして２つの電線１０が、ハウジング２の長手方向に互いにずらされて配されるとともに、一対のバスバ５それぞれに組み付けられる。
【００５５】
一対の圧接端子相当部５３’は、底板相当部５２’を中心として、互いに対称（線対称）に配されている。圧接端子相当部５３’は、前述した底板相当部５２’の幅方向の縁に連なる第１圧接片相当部５４’と、第１圧接片相当部５４’と互いに間隔をあけて配された第２圧接片相当部５６’と、前述した圧接片相当部５４’、５６’とを互いに連結する連結片相当部５５’と、を備えている。
【００５６】
第１圧接片相当部５４’は、後述する第２圧接片相当部５６’の圧接刃相当部５８’との間に電線１０が圧入されて電線１０を圧接する圧接刃相当部５７’と、該圧接刃相当部５７’の先端部から離れる方向に延びているとともに、前述した底板相当部５２’の幅方向の縁に連なる接続部相当部５９’と、を備えている。接続部相当部５９’は、略三角形状に形成されており、底板相当部５２’の幅方向の縁から該底板相当部５２’の長手方向と交差する方向に連なっている。
【００５７】
前述した第１圧接片相当部５４’の圧接刃相当部５７’と、後述する第２圧接片相当部５６’の圧接刃相当部５８’とは、互いに直線状に設けられているとともに、互いに平行に配されている。
【００５８】
第２圧接片相当部５６’は、後述する連結片相当部５５’を介して第１圧接片相当部５４’に連なっている。そして、第２圧接片相当部５６’は、前述した第１圧接片相当部５４’の圧接刃相当部５７’との間に電線１０が圧入されて電線１０を圧接する圧接刃相当部５８’と、圧接刃相当部５８’の先端部から離れる方向に延びているとともに、前述したハウジング２の圧接端子通し穴４７に圧入される延在部相当部６０’と、を備えている。
【００５９】
そして、接続部相当部５９’と後述する圧接刃相当部５７’との連結箇所（図３中にＲ２で示す。）が直角に曲げられた後、前述した連結片相当部５５’が曲げられて、前記一対の圧接片相当部５４’、 ５６’が互いに交差する方向に配されることにより、電線接続部相当部５１’は、図２に示す底板５２と一対の圧接端子５３とを備えた電線接続部５１となる。
【００６０】
前述した圧接端子５３は、図４に示すように前述した底板５２に対して直交して配されている。圧接端子５３は、底板５２に連なる第１圧接片５４と、第２圧接片５６と、これら圧接片５４、５６同士とを連結する連結片５５と、を備えている。圧接端子５３は、連結片５５が曲げられて、これら圧接片５４、５６同士を、互いに交差する方向に配している。なお、圧接片５４、５６は、特許請求の範囲に記載された「一対の圧接片」に相当する。
【００６１】
前述した第１圧接片５４は、圧接刃５７と、該圧接刃５７及び底板５２に連なる接続部５９と、を備えている。勿論、第１圧接片５４の圧接刃５７は、底板５２に対して直交して配されている。前述した第２圧接片５６は、圧接刃５８と、該圧接刃５８の先端部から離れる方向に連なる延在部６０と、を備えている。勿論、第２圧接片５６は、底板５２に対して直交して配されている。そして、圧接刃５８は、底板５２の一方の表面に向って立設して設けられているとともに、延在部６０は、底板５２の他方の表面に向って立設して設けられている。延在部６０は、前述した圧接端子通し穴４７に圧入される。なお、圧接刃５８は、特許請求の範囲に記載された「圧接刃」に相当する。
【００６２】
また、延在部６０は、一対の圧接片５４，５６が互いに交差する方向に配されるとその一方の圧接刃５８の外表面に凸のロック部６１を設けている。ロック部６１は、前述した圧接端子通し穴４７の内側に設けられたロック穴部に係止する。
【００６３】
そして、一対の圧接端子５３は、互いに対向して配されるとともに、電線１０の長手方向に互いに離れる方向に向かうに従って、一対の圧接片５４，５６が互いに近付く方向に配されている。そして、一対の圧接端子５３を備えた電線接続部５１は、一対の圧接刃５７，５８間に電線１０が圧入されて前記電線１０を圧接することにより、電線１０の芯線を通して該芯線と電気的に接続する。
【００６４】
上記ハウジング取付部７１は、上記バスバ相当板５’の底板相当部５２’に連設されたハウジング取付部相当部７１’が、底板相当部５２’との連結箇所において、前述した底板５２の他方の表面に近付く方向に向かって直角に曲げられて形成されている。ハウジング取付部７１は、底板５２に対して直交して配されているとともに、底板５２の他方の表面側に突出して設けられている。ハウジング取付部７１は、前述したバスバ取付穴に挿入される。
【００６５】
なお、上述したバスバ相当板５’は、図３に示すように他のバスバ相当板５’と電極接続部相当部４１’の幅方向に沿って並列に並べられた格好で一括で片抜きされる。また、これら複数のバスバ相当板５’（図示例では２つ）は、ブリッジ１１により互いに連結されている。このブリッジ１１は、それぞれのバスバ相当板５’が曲げられるなどして成形品であるバスバ５に形成された時点で切断される。
【００６６】
続いて、上述した照明ユニット１の組み立て方法を説明する。このような一対のバスバ５は、互いに底板５２の幅方向に沿って並ぶ格好でハウジング２に組み付けられるとともに、ハウジング２の長手方向（図１中に矢印Ｎで示す。）に互いにずらされて配される。この際、電極接続部４１がハウジング２の電極収容部２４に配されるとともに、電線接続部５１が、ハウジング２の電線収容部２６に配される。
【００６７】
そして、電線収容部２６の圧接端子通し穴４７に、延在部６０を圧入するとともに、バスバ取付穴にハウジング取付部７１を挿入する。すると、延在部６０のロック部６１が、圧接端子通し穴４７の内表面に設けられたロック穴部に係止する。こうして、バスバ５をハウジング２に取り付ける。
【００６８】
次に、２つの電線１０を電線収容部２６の長手方向に沿って延在させる。そして、図６に示すように電線１０を一対の圧接端子５３に接続する。最初に、一対の圧接端子５３のうち一方の圧接端子５３の一対の圧接刃５７，５８との間に、電線１０を圧入する。そして、一対の圧接端子５３のうち他方の圧接端子５３の一対の圧接刃５７，５８との間に、電線１０を圧入する。こうして、圧接片５４，５６が電線１０の被覆部を突き破るとともに、圧接端子５３即ちバスバ５と電線１０とが電気的に接続する。
【００６９】
次に、カバー部２２の内表面２２ｂを本体部２１の天井面２１ａに近付ける。この際、圧接端子５３の第１圧接片５４および第２圧接片５６の先端部が、カバー部２２の隔壁３５ａ、３５ｃの切欠き４９ａ、４９ｂに当接する。そして、カバー部２２の係止ロック部４０の突起４６が穴部３４ａを通されて、係止ロック部４０が、カバー部２２の内方向に弾性変形した後、突起４６が穴部３４ｂに位置すると、係止ロック部４０が弾性復元力によって中立状態に復帰する。そして、カバー部２２の係止ロック部４０は、電線屈曲部３０のロック受け部３３に係止する。こうして、カバー部２２が本体部２１に取り付けられるとともに、２つの電線１０が、ハウジング２に組み付けられる。
【００７０】
次に、バルブをハウジング２のバルブ取付部２８に挿入した後、バルブの電極を一対の電極挟持片４２間に挿入する。こうして、バルブがバスバ５と電気的に接続するとともに、ハウジング２に組み付けられる。こうして照明ユニット１が完成する。そして、一対のバスバ５に電気接続されたスイッチ（図示しない）がオン・オフされることにより、バルブが点灯または消灯する。
【００７１】
上述した実施形態によれば、圧接端子５３は、圧接片５６の圧接刃５８から離れる方向に延びた延在部６０を設けている。そして、延在部６０は、ハウジング２に設けられた圧接端子通し穴４７に圧入される。従って、圧接端子５３に取り付けられた電線１０が電線１０の長手方向に引っ張られるなどして、電線１０の長手方向に外力がかけられた際に、延在部６０が圧接端子通し穴４７の内面に当接することによって、圧接端子５３が倒れることを防止することができる。
【００７２】
また、圧接端子５３は、前記連結片５５が曲げられて、前記一対の圧接片５４，５６が互いに交差する方向に配されている。従って、一対の圧接刃５７、５８間に圧入されて組み付けられた電線１０が、電線１０の長手方向の一対の圧接片５４，５６が互いに離れる一方向に引っ張られるなどして、電線１０の長手方向に外力がかけられた際には、互いに交差する方向に配された一対の圧接片５４，５６が互いに離れる一方向に力をかけるため、圧接端子５３が倒れることを防止することができる。
【００７３】
また、一対の圧接端子５３は、電線１０の長手方向に互いに離れる方向に向かうに従って、前記一対の圧接片５４，５６が互いに近付く方向に配されている。従って、一対の圧接刃５７、５８間に圧入されて組付けられた電線１０が、電線１０の長手方向のどちらの方向に引っ張られても、互いに交差する方向に配された一対の圧接片５４，５６が互いに離れる方向に力をかけるため、圧接端子５３が倒れることを防止することができる。即ち、電線１０の長手方向の双方向に対して圧接端子５３が倒れることを防止することができる。
【００７４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００７５】
１  照明ユニット
２  ハウジング
５  バスバ
１０  電線
４１  電極接続部
４７  圧接端子通し穴
５１  電線接続部
５４、５６  一対の圧接片
５５  連結片
５７、５８  圧接刃
６０  延在部
【図１】
2010182431.tif 000003
【図２】
2010182431.tif 000004
【図３】
2010182431.tif 000005
【図４】
2010182431.tif 000006
【図５】
2010182431.tif 000007
【図６】
2010182431.tif 000008
【図７】
2010182431.tif 000009
【図８】
2010182431.tif 000010